(57)【要約】【課題】回転振分装置および演出用の可動部品でのモータの共用と演出用の表示灯基板を搭載する場所の確保とを図る。【解決手段】筐体２４の透明または半透明の合成樹脂から構成された後壁部２７には当たり球と外れ球とに振り分ける回転盤３１を遊技盤７の前面に平行する面内で回転するように備えた回転振分装置１８が設けられ、筐体２４の内部空間には配置された可動部品５３が後壁部２７に回転可能に支持され、筐体２４の外部にはモータ３２と歯車群５２および表示灯基板５４が配置され、モータ３２が筐体２４の歯車群５２や表示灯基板５４と干渉しない位置に取り付けられ、歯車群５２は遊技盤７の前面に平行する面内で回転するように後壁部２７に回転可能に支持され、後壁部２７と歯車群５２との間の隙間に配置された表示灯基板５４が後壁部２７に固定的に支持され、表示灯基板５４の後壁部２７に向けられた前面にはＬＥＤ５５が実装されている。【選択図】図１
2009028128.tif 000002
【特許請求の範囲】
【請求項１】
遊技盤に取り付けられる筐体が前方に開放した奥行の有る内部空間を構成し、筐体の奥を閉鎖する後壁部が透明または半透明の合成樹脂から構成され、後壁部には当たり球と外れ球とに振り分ける回転盤を遊技盤の前面に平行する垂直面内で回転するように備えた回転振分装置が設けられ、筐体の内部空間には可動部品が配置され、可動部品が後壁部に回転可能に支持され、筐体の外部にはモータと歯車群および表示灯基板が配置され、モータが筐体に取り付けられ、歯車群はモータの出力軸に固定される駆動歯車と回転盤を回転するための回転盤歯車と可動部品を回転するための可動部品歯車とが互いに連動するように連結された構造であって遊技盤の前面に平行する垂直面内で回転するように後壁部に回転可能に支持され、後壁部と歯車群との間の隙間には表示灯基板が後壁部と歯車群とから離れて配置されて後壁部に固定的に支持され、表示灯基板の後壁部に向けられた前面には光源が実装されたことを特徴とするパチンコ遊技機の遊技部品。
【請求項２】
後壁部の後面が凹凸状に構成されたことを特徴とする請求項１記載のパチンコ遊技機の遊技部品。
【発明の詳細な説明】
【技術分野】
【０００１】
本発明は、回転振分装置および演出用の可動部品でのモータの共用と演出用の表示灯基板を搭載する場所も適切に確保できるパチンコ遊技機の遊技部品に関する。
【背景技術】
【０００２】
パチンコ遊技機の遊技部品としては、特許文献１で開示された回転振分装置を有するセンター役物が知られている。このセンター役物の回転振分装置は、回転盤がモータによって遊技盤の前面に平行する垂直面内で回転された状態において、パチンコ球と呼ばれる球が回転盤を収容した容器の球入口部から回転盤の当たり球受部に取り込まれるか、または、回転盤の外れ球受部に取り込まれることによって、回転盤が球入口部から供給された球を当たり球と外れ球とに振り分けるようになっている。しかしながら、センター役物などの遊技部品に回転振分装置や演出用の可動部品および演出用の表示灯基板を設ける場合、回転盤のモータと可動部品の駆動源とを遊技部品の後壁部に設けるには、遊技部品の後壁部の広さが狭く、モータや駆動源を設ける構造が複雑になるうえ、演出用の表示灯基板を搭載する場所も限定されるという欠点がある。
【特許文献１】特開平８−１５５０９３号公報
【発明の開示】
【発明が解決しようとする課題】
【０００３】
発明が解決しようとする問題点は、遊技部品に回転振分装置や演出用の可動部品および演出用の表示灯基板を設ける場合、モータや駆動源を設ける構造が複雑になるうえ、演出用の照明を搭載する場所も限定されるという点である。
【課題を解決するための手段】
【０００４】
本発明に係るパチンコ遊技機の遊技部品は、遊技盤に取り付けられる筐体が前方に開放した奥行の有る内部空間を構成し、筐体の奥を閉鎖する後壁部が透明または半透明の合成樹脂から構成され、後壁部には当たり球と外れ球とに振り分ける回転盤を遊技盤の前面に平行する垂直面内で回転するように備えた回転振分装置が設けられ、筐体の内部空間には可動部品が配置され、可動部品が後壁部に回転可能に支持され、筐体の外部にはモータと歯車群および表示灯基板が配置され、モータが筐体に取り付けられ、歯車群はモータの出力軸に固定される駆動歯車と回転盤を回転するための回転盤歯車と可動部品を回転するための可動部品歯車とが互いに連動するように連結された構造であって遊技盤の前面に平行する垂直面内で回転するように後壁部に回転可能に支持され、後壁部と歯車群との間の隙間には表示灯基板が後壁部と歯車群とから離れて配置されて後壁部に固定的に支持され、表示灯基板の後壁部に向けられた前面には光源が実装されたことを最も主要な特徴とする。後壁部の後面が凹凸状に構成されてもよい。
【発明の効果】
【０００５】
本発明に係るパチンコ遊技機の遊技部品は、モータが回転盤と可動部品とで共用できるうえ、歯車群が遊技盤の前面に平行する垂直面内で回転するように後壁部に回転可能に支持され、表示灯基板が後壁部と歯車群との間の隙間に配置されて後壁部に固定的に支持されたことによって、歯車群や表示灯基板の設置場所として筐体の後壁部を活用でき、後壁部が透明または半透明の合成樹脂から構成されたことによって、筐体の内部空間や可動部品を表示灯基板の前面に設けられた光源で適切に照明することができ、回転振分装置による球の振り分けも遊技者に適切に把握させることができるという利点がある。後壁部の後面が凹凸状に構成されれば、光源からの光が後壁部の内部に進入して拡散し、後壁部が全体的に明るくなり、筐体の内部空間や可動部品が適切に照明されるという利点がある。
【発明を実施するための最良の形態】
【０００６】
図１は、遊技盤７に設けられる遊技部品の例としての上可変入賞部品１３の側面を示す。図２は、駆動機構５１を模式的に示す。図３は、演出装置１９を分解して示す。図４は、演出装置１９の側面を示す。図５は、上可変入賞部品１３の正面を示す。図６は、上可変入賞部品１３を縦方向に切断した断面を示す。図７は、パチンコ遊技機の正面を示す。本明細書において、「前」、「後」、「左」、「右」、「上」、「下」の方向は、図７の状態に遊技機枠１を置いて図７の紙面の表側から見た場合に特定される方向である。
【０００７】
図７を参照し、パチンコ遊技機について説明する。パチンコ遊技機の遊技機枠１は、遊技盤７を交換可能に入れる容器として、遊技機設置構造体に設置される。遊技機設置構造体は、遊技店のパチンコ遊技機を設置する島とも呼ばれる設備である。遊技機枠１の前部には、窓２、窓パネル３、受皿４、発射操作機構５が設けられる。遊技機枠１の内部には、発射機構６が設けられる。遊技盤７の前面には、ガイドレール８、発射通路９、アウト口１０、一般入賞部品１１、始動部品１２、上可変入賞部品１３、下可変入賞部品１４、図外の遊技釘などが設けられる。上可変入賞部品１３は、センター役物とも呼ばれ、仕切壁１５、開閉体１６、球検出器１７、上回転振分装置１８、演出装置１９、下回転振分装置２０などを備える。下可変入賞部品１４は、アタッカーとも呼ばれ、開閉体２１を備える。遊技盤７が遊技機枠１の内部に装着された場合、遊技領域２２が発射機構６から発射された球の飛び交う領域として窓パネル３と遊技盤７の前面との間におけるガイドレール８で囲まれた部分として形成され、ガイドレール８、発射通路９、アウト口１０、一般入賞部品１１、始動部品１２、上可変入賞部品１３、下可変入賞部品１４、図外の遊技釘などが、遊技機枠１の前側から窓２および窓パネル３を通して視認可能になる。
【０００８】
パチンコ遊技の一例について説明すると、遊技盤７が遊技機枠１に装着され、遊技者が受皿４にパチンコ球と呼ばれる球を入れ、遊技者が発射操作機構５を操作するのに伴い、発射機構６が発射操作機構５の操作量に応じた発射力で駆動し、発射機構６が受皿４から遊技機枠１の内部に取り込まれた球を１個ずつ発射通路９に向けて発射する。発射通路９に発射された球は、発射通路９から遊技領域２２の上部に到達する。遊技領域２２に到達した球が、遊技領域２２を流下する過程において、一般入賞部品１１や始動部品１２の何れか１つに入賞するごとに、図外の球検出器が入賞信号を図外の制御装置に出力し、図外の制御装置が図外の球払出機構を制御し、球払出機構が賞球としての球を受皿４に払い出す。開閉体１６；２１が閉じた状態において、遊技領域２２に到達した球が始動部品１２に入賞すると、図外の球検出器が制御装置に出力し、制御装置が開閉体１６を開閉する駆動源としての電磁ソレノイド２３（図６参照）や上回転振分装置１８の駆動源としてのモータ３２（図６参照）および下回転振分装置２０の駆動源としてのモータ４２（図６参照）を制御し、開閉体１６が開閉し、回転盤３１；４１（図５参照）が回転する。開閉体１６が開いた状態において、遊技領域２２を流下する球が、上可変入賞部品１３に入賞すると、入賞するごとに、球検出器１７が入賞信号を制御装置に出力し、制御装置が球払出機構を制御し、球払出機構が賞球としての球を受皿４に払い出す。
【０００９】
上可変入賞部品１３に入賞した球が上回転振分装置１８で外れ球として振り分けられると、当該外れ球は遊技盤７の後方に排出される。上可変入賞部品１３に入賞した球が上回転振分装置１８で当たり球として振り分けられると、当該当たり球は下回転振分装置２０に供給される。下回転振分装置２０に供給された球が下回転振分装置２０で外れ球として振り分けられると、当該外れ球は遊技盤７の後方に排出される。下回転振分装置２０に供給された球が下回転振分装置２０で当たり球として振り分けられると、当該当たり球は遊技盤７の後方に排出される過程において図外の球検出器で検出され、当該球検出器が当たり領域信号を制御装置に出力し、制御装置が下可変入賞部品１４の開閉体２１の開閉する大当たり遊技を開始する。大当たり遊技は、開閉体２１の開閉の開始からの経過時間がラウンド規定時間に到達するかまたは下可変入賞部品１４への球の入賞個数が入賞規定個数に到達するかのいずれか１つが成立したら開閉体２１を閉じて１ラウンドを終了し、開閉体２１の開閉を再開し、最大ラウンド数まで繰り返される遊技形態である。一般入賞部品１１、始動部品１２、上可変入賞部品１３、下可変入賞部品１４の何れかに入賞した球は、遊技盤７の後方に排出される。一般入賞部品１１や始動部品１２、上可変入賞部品１３、下可変入賞部品１４のいずれにも入らないで、遊技領域２２の最下部に到達した球は、アウト口１０から遊技盤７の後方に排出される。
【００１０】
図５および図６を参照し、上可変入賞部品１３について説明する。図５において、上可変入賞部品１３は、筐体２４を備える。筐体２４は、前方に開放した奥行の有る内部空間を構成する。筐体２４の前部には、仕切壁１５および取付部２５が設けられる。仕切壁１５は、遊技盤７の前面から筐体２４で囲まれた内部空間への球の侵入を阻止する部分として、筐体２４の前方に突出する。取付部２５は、上可変入賞部品１３を遊技盤７に取り付けるための部分として、筐体２４から遊技盤７の前面に平行するように外側に突出する。そして、図外のねじ釘が取付部２５に設けられた取付孔を経由して遊技盤７に締結されることによって、取付部２５が遊技盤７の前面に接触し、上可変入賞部品１３が遊技盤７に取り付けられる。
【００１１】
仕切壁１５の上部には、開閉体１６と球検出器１７および球入口部２６が設けられる。開閉体１６が仮想線で示す開放位置から実線で示す閉鎖位置に閉じた場合、球が遊技盤７の前面から球入口部２６に入らなくなる。開閉体１６が実線で示す閉鎖位置から仮想線で示す開放位置に開いた場合、球が遊技盤７の前面から球入口部２６に入る可能性がある。図６にも示すように、開閉体１６から球入口部２６に入った球が球検出器１７の球検出孔を上方から下方に通過する過程において、球検出器１７が当該球を電気的に検出して入賞信号を出力する。球入口部２６は、球検出器１７を通過した球を筐体２４の内部空間の上部の奥に誘導し、筐体２４における内部空間の奥を閉鎖する後壁部２７に形成された球出口部２８に排出する。球出口部２８は、球を後壁部２７よりも後方に誘導した後に上回転振分装置１８の上に排出する。
【００１２】
図５に戻り、上回転振分装置１８は、遊技盤７の前面に平行する垂直面内で回転する回転盤３１を有する回転振分装置を構成し、球出口部２８よりも下部に位置し、後壁部２７に設けられる。回転盤３１は、筐体２４の上部に設けられたモータ３２（図６参照）によって遊技盤７の前面と平行する垂直面内で回転した状態において、回転盤３１が球出口部２８から供給された球を外れ球と当たり球とに振り分ける。回転盤３１には、当たり球受部３３と外れ球受部３４とが設けられる。当たり球受部３３は、取り込んだ当たり球を回転盤３１の前方に排出する機能を備える。外れ球受部３４は、取り込んだ外れ球を回転盤３１の直径方向の外側に排出する機能を備える。
【００１３】
球出口部２８から供給された球が回転盤３１の外れ球受部３４に取り込まれることによって、回転盤３１が球出口部２８から供給された球を外れ球として振り分ける。振り分けられた外れ球は、外れ球受部３４の上に載って、回転盤３１の回転に伴い、回転盤３１の回転方向に移動し、外れ球受部３４が上回転振分装置１８における回転盤３１を収容した容器３５の周面に形成された外れ領域３７と対応すると、外れ球受部３４から外れ領域３７を経由して回転盤３１から側方と後壁部２７の後方を経由して遊技盤７の後方に排出される。
【００１４】
球出口部２８から供給された球が回転盤３１の当たり球受部３３に取り込まれることによって、回転盤３１が球出口部２８から供給された球を当たり球として振り分ける。振り分けられた当たり球は、当たり球受部３３の上に載って、回転盤３１の回転に伴い、回転盤３１の回転方向に移動し、当たり球受部３３が容器３５の前面に形成された当たり領域３６と対応すると、当たり球受部３３から当たり領域３６を経由して回転盤３１から前方に排出されるので、遊技者が振り分けられた当たり球の流下先を把握しやすいという利点がある。
【００１５】
回転盤３１から前方に排出された当たり球は、容器３５の前面および後壁部２７の前面に設けられた誘導通路３８に取り込まれる。誘導通路３８は、球を筐体２４の内部空間の下方に形成された通路出口３９に排出する。通路出口３９は、球を下回転振分装置２０の誘導通路４３の上に排出する。
【００１６】
下回転振分装置２０は、遊技盤７の前面に交差する水平面内で回転する回転盤４１を有する回転振分装置を構成し、通路出口３９よりも下部に位置し、筐体２４の内部空間の底を閉鎖する底壁部２９に設けられる。回転盤４１は、筐体２４の下部に設けられたモータ４２（図６参照）によって水平な方向に回転した状態において、回転盤４１が誘導通路４３の前部に形成された通路出口４４から供給された球を外れ球と当たり球とに振り分ける。つまり、通路出口４４から供給された球が回転盤４１の外れ球受部４６に取り込まれることによって、回転盤４１が通路出口４４から供給された球を外れ球として振り分ける。振り分けられた外れ球は、下回転振分装置２０における回転盤４１を収容した容器４７の底部の上に載って、回転盤３１の回転に伴い、回転盤３１の回転方向に移動し、外れ球受部４６が容器４７の底部に形成された外れ領域４９と対応すると、外れ球受部４６から外れ領域４９を経由して回転盤３１から下方と底壁部２９の下方を経由して遊技盤７の後方に排出される。
【００１７】
通路出口４４から供給された球が回転盤４１の当たり球受部４５に取り込まれることによって、回転盤４１が通路出口４４から供給された球を当たり球として振り分ける。振り分けられた当たり球は、当たり球受部４５の上に載って、回転盤４１の回転に伴い、回転盤４１の回転方向に移動し、当たり球受部４５が容器４７の外周面に形成された当たり領域４８と対応すると、当たり球受部４５から当たり領域４８を経由して回転盤４１から側方と誘導通路４３よりも下方を経由して遊技盤７の後方に排出される。
【００１８】
回転盤４１には、フィギュア５０が上方に突出する。フィギュア５０は、回転盤４１の上面に固定され、誘導通路３８に接触しないように、回転盤４１と一緒に回転する。
【００１９】
図１および図２を参照し、上回転振分装置１８および演出装置１９の駆動機構５１について説明する。図１において、駆動機構５１は、モータ３２および歯車群５２を備え、モータ３２が駆動すると、歯車群５２が上回転振分装置１８の回転盤３１と演出装置１９の複数の可動部品５３とを回転する。つまり、モータ３２が上回転振分装置１８と演出装置１９とで共用されるので、上回転振分装置１８と演出装置１９とが駆動源を個別に設ける必要がないという利点がある。
【００２０】
歯車群５２は、筐体２４の後壁部２７よりも後方において、遊技盤７の前面に平行する垂直面内で回転するように、後壁部２７に回転可能に支持される。複数の可動部品５３は、後壁部２７よりも前側に離れて筐体２４の内部空間に配置され、後壁部２７に回転可能に支持される。後壁部２７と歯車群５２との間の隙間には、演出装置１９の表示灯基板５４が後壁部２７と歯車群５２とから離れて配置され、後壁部２７に固定的に支持される。表示灯基板５４は、プリント基板などの回路基板により構成される。表示灯基板５４の前面には複数のＬＥＤ５５が光源として実装され、表示灯基板５４の後面にはコネクタ５６が実装され、ＬＥＤ５５およびコネクタ５６が表示灯基板５４におけるプリント配線と呼ばれる箔形状の電線により互いに接続され、コネクタ５６への電力の供給と遮断とによって、ＬＥＤ５５が個別に点灯、点滅、消灯する。
【００２１】
つまり、歯車群５２が遊技盤７の前面に平行する垂直面内で回転するように後壁部２７に回転可能に支持され、表示灯基板５４が後壁部２７と歯車群５２との間の隙間に配置されて後壁部２７に固定的に支持されているので、筐体２４の背面の広さが狭くても、歯車群５２や表示灯基板５４の設置場所として筐体２４の背面を活用できるという利点がある。そして、後壁部２７が透明または半透明の合成樹脂から構成されると、筐体２４の内部空間や可動部品５３をＬＥＤ５５からの発光で適切に照明することができ、上回転振分装置１８による球の振り分けも遊技者に適切に把握させることができるという利点がある。遊技盤７には、部品逃避孔７２が前後方向への貫通孔として設けられる。部品逃避孔７２は、上回転振分装置１８が遊技盤７に取り付けられる場合、電磁ソレノイド２３や筐体２４およびモータ３２；４２などの部品を逃げる孔であって、取付部２５によって遊技盤７の前側から見えないように覆い隠される。モータ３２は、筐体２４の外部に配置され、歯車群５２や表示灯基板と干渉しない位置であれば、筐体２４の上部以外の後壁部２７は底壁部２９でもよい。
【００２２】
図２において、歯車群５２は、駆動歯車５７、中間歯車５８、回転盤歯車５９、複数の可動部品歯車６０により構成される。駆動歯車５７は、モータ３２の出力軸６１に固定される。中間歯車５８は、駆動歯車５７に噛み合わされかつ中間軸６２に装着される。中間軸６２は、後壁部２７（図１参照）に取り付けられる。回転盤歯車５９は、中間歯車５８に噛み合わされかつ回転盤軸６３に固定される。回転盤軸６３は、回転盤３１に固定され、容器３５（図５参照）に回転可能に支持される。可動部品歯車６０は、複数の可動部品軸６４に個別に固定される。可動部品軸６４は、後壁部２７に回転可能に支持され、後壁部２７の前後に貫通する。可動部品軸６４の後壁部２７から前方に突出した部分には、複数の可動部品５３が個別に固定される。可動部品軸６４の後壁部２７から後方に突出した部分には、可動部品歯車６０が個別に固定される。
【００２３】
複数の可動部品５３は、回転盤３１を前方から見た場合、回転盤３１よりも左側に配置されたものが２個、回転盤３１よりも右側に配置されたものが３個である。そして、左側の２個の可動部品歯車６０のうちの上部の１個と右側の３個の可動部品歯車６０のうちの最上部の１個とが中間歯車５８に個別に噛み合わされる。左側の上部の可動部品歯車６０には、左側の下部の１個の可動部品歯車６０が噛み合わされる。右側の最上部の可動部品歯車６０には、右側の中間部の１個の可動部品歯車６０が噛み合わされる。右側の中間部の可動部品歯車６０には、右側の下部の１個の可動部品歯車６０が噛み合わされる。よって、モータ３２の出力軸６１が回転すると、駆動歯車５７と中間歯車５８と回転盤歯車５９および可動部品歯車６０が回転し、回転盤３１および複数の可動部品５３が回転する。可動部品５３の全体的な個数は１個でもよく、回転盤３１よりも左側または右側に配置される個数は上記個数に限定されるものではない。
【００２４】
可動部品５３は、可動部品軸６４にリンク機能で往復運動するように連結した構造でもよいが、最良の形態のように、可動部品５３が可動部品軸６４に固定された回転運動する構造であれば、可動部品歯車で可動部品５３を動かす機構が簡単であるという利点がある。
【００２５】
図３を参照し、後壁部２７に表示灯基板５４を取り付ける部分の構造について説明する。後壁部２７には、位置決め部材６５および基板取付部６６が後方に突出するように設けられる。表示灯基板５４には、位置決め孔６７および取付孔６８が設けられる。そして、ＬＥＤ５５が前方に向けられ、位置決め部材６５と位置決め孔６７とが互いに嵌め合わされ、ねじ釘６９が後方から取付孔６８を経由して基板取付部６６に締結されることによって、基板取付部６６が後壁部２７の後方に図４に示すように取り付けられる。後壁部２７の後面は、凹条７０および凸条７１が交互に繰り返されるように並列状態となって複数設けられた、凹凸状に構成される。
【００２６】
図４を参照し、ＬＥＤ５５による照明について説明する。後壁部２７の後面が凹条７０および凸条７１からなる凹凸状に構成されるので、ＬＥＤ５５から前方に放出された光は、凹条７０および凸条７１から後壁部２７の内部に進入して拡散する。よって、後壁部２７が全体的に明るくなり、筐体２４の内部空間や可動部品５３が適切に照明されるという利点がある。凹条７０および凸条７１は、窪みまたは突起でもよい。
【図面の簡単な説明】
【００２７】
【図１】上可変入賞部品の側面図（最良の形態）。
【図２】駆動機構の模式的な正面図（最良の形態）。
【図３】後壁部と表示灯基板との分解斜視図（最良の形態）。
【図４】演出装置の側面図（最良の形態）。
【図５】上可変入賞部品の正面図（最良の形態）。
【図６】上可変入賞部品の縦断面図（最良の形態）。
【図７】パチンコ遊技機の正面図（最良の形態）。
【符号の説明】
【００２８】
１は遊技機枠、２は窓、３は窓パネル、４は受皿、５は発射操作機構、６は発射機構、７は遊技盤、８はガイドレール、９は発射通路、１０はアウト口、１１は一般入賞部品、１２は始動部品、１３は上可変入賞部品、１４は下可変入賞部品、１５は仕切壁、１６は開閉体、１７は球検出器、１８は上回転振分装置、１９は演出装置、２０は下回転振分装置、２１は開閉体、２２は遊技領域、２３は電磁ソレノイド、２４は筐体、２５は取付部、２６は球入口部、２７は後壁部、２８は球出口部、２９は底壁部、３０は欠番、３１は回転盤、３２はモータ、３３は当たり球受部、３４は外れ球受部、３５は容器、３６は当たり領域、３７は外れ領域、３８は誘導通路、３９は通路出口、４０は欠番、４１は回転盤、４２はモータ、４３は誘導通路、４４は通路出口、４５は当たり球受部、４６は外れ球受部、４７は容器、４８は当たり領域、４９は外れ領域、５０はフィギュア、５１は駆動機構、５２は歯車群、５３は可動部品、５４は表示灯基板、５５はＬＥＤ、５６はコネクタ、５７は駆動歯車、５８は中間歯車、５９は回転盤歯車、６０は可動部品歯車、６１は出力軸、６２は中間軸、６３は回転盤軸、６４は可動部品軸、６５は位置決め部材、６６は基板取付部、６７は位置決め孔、６８は取付孔、６９はねじ釘、７０は凹条、７１は凸条、７２は部品逃避孔。
【図１】
2009028128.tif 000003
【図２】
2009028128.tif 000004
【図３】
2009028128.tif 000005
【図４】
2009028128.tif 000006
【図５】
2009028128.tif 000007
【図６】
2009028128.tif 000008
【図７】
2009028128.tif 000009